(57)【要約】      （修正有）【課題】コスト削減及び製品外観を縮小する、端子台接地構造及び端子台を備えた電源供給装置を提供する。【解決手段】端子台接地構造及び端子台を備えた電源供給装置は、ハウジング１０と、ハウジング１０内に設けられる端子台２とを備えており、ハウジング１０内には回路板１１を更に有しており、端子台２は絶縁台座２０と、絶縁台座２０上に設けられる複数の端子２１とを有しており、且つ各端子２１はいずれも延出するピン２１０を有しており、このうちの一つの端子２１’のピン２１０’はハウジング１０に接地接触し、そして残りの端子２１のピン２１０は回路板１１上に電気的に接続される。ハウジング１０に接地接触するピン２１０’によって、回路板１１の面積を占めることなく、コスト削減及び製品外観を縮小する。【選択図】図１
0003219843.tif 000002
【実用新案登録請求の範囲】
【請求項１】
電源供給装置（１）に設けられるための端子台接地構造であって、
複数の端子溝（２００）を有する絶縁台座（２０）と、
各々の前記端子溝（２００）内にそれぞれ設けられ、且つ各々がいずれも延出するピン（２１０）を有する複数の端子（２１）と、を備える、端子台接地構造において、
前記電源供給装置（１）はハウジング（１０）と、該ハウジング（１０）内に設けられる回路板（１１）とを備えており、且つこのうちの一つの前記端子（２１’）のピン（２１０’）は前記電源供給装置（１）のハウジング（１０）に接地接触し、そして残りの前記端子（２１）のピン（２１０）は前記電源供給装置（１）の回路板（１１）上に電気的に接続される、ことを特徴とする端子台接地構造。
【請求項２】
前記接地とされるピン（２１０’）は前記絶縁台座（２０）に向いた側に折れ曲がる、ことを特徴とする請求項１に記載の端子台接地構造。
【請求項３】
前記接地とされるピン（２１０’）は残りの前記端子（２１）のピン（２１０）が前記絶縁台座（２０）下方に延在する方向と垂直となる、ことを特徴とする請求項２に記載の端子台接地構造。
【請求項４】
前記絶縁台座（２０）は第１側（２０ａ）と、該第１側（２０ａ）と反対向きとなる第２側（２０ｂ）とを有しており、該第１側（２０ａ）は各々の前記端子溝（２００）に対応して開口状をなし、前記接地とされるピン（２１０’）は該第２側（２０ｂ）に向けて折れ曲がる、ことを特徴とする請求項２に記載の端子台接地構造。
【請求項５】
前記接地とされるピン（２１０’）の延在方向は残りの前記端子（２１）のピン（２１０）が延在する方向と交互となる、ことを特徴とする請求項２に記載の端子台接地構造。
【請求項６】
前記接地とされるピン（２１０’）上には固定穴（２１１’）が設けられる、ことを特徴とする請求項１に記載の端子台接地構造。
【請求項７】
前記接地とされるピン（２１０’）の幅は残りの前記端子（２１）のピン（２１０）の幅よりも広い、ことを特徴とする請求項１ないし６のいずれか一項に記載の端子台接地構造。
【請求項８】
端子台を備えた電源供給装置であって、
内側に回路板（１１）を有するハウジング（１０）と、
前記ハウジング（１０）内に設けられるとともに、絶縁台座（２０）と、該絶縁台座（２０）上に設けられる複数の端子（２１）とを有しており、且つ各々の該端子（２１）はいずれも延出するピン（２１０）を有しており、このうちの一つの該端子（２１’）のピン（２１０’）は前記ハウジング（１０）に接地接触し、そして残りの該端子（２１）のピン（２１０）は前記回路板（１１）上に電気的に接続される端子台（２）と、を備える、ことを特徴とする端子台を備えた電源供給装置。
【請求項９】
前記接地とされるピン（２１０’）は導電接続手段で前記ハウジング（１０）上に固定される、ことを特徴とする請求項８に記載の端子台を備えた電源供給装置。
【請求項１０】
前記接地とされるピン（２１０’）は前記回路板（１１）上に位置するとともに、導電接続手段を介して貫入され且つ前記回路板（１１）を通過して前記ハウジング（１０）に接地接触する、ことを特徴とする請求項９に記載の端子台を備えた電源供給装置。
【請求項１１】
前記接地とされるピン（２１０’）は前記回路板（１１）を通過するとともに前記回路板（１１）と前記ハウジング（１０）との間に位置し、且つ前記接地とされるピン（２１０’）は前記ハウジング（１０）に接触するとともに前記導電接続手段で固定される、ことを特徴とする請求項９に記載の端子台を備えた電源供給装置。
【請求項１２】
前記導電接続手段は螺着素子（２１２’）と、前記ハウジング（１０）上に固設されるとともに該螺着素子（２１２’）を螺入させる螺着台座（２１３’）とを備える、ことを特徴とする請求項９ないし１１のいずれか一項に記載の端子台を備えた電源供給装置。
【請求項１３】
前記接地とされるピン（２１０’）上には前記螺着素子（２１２’）を挿入させる固定穴（２１１’）が設けられる、ことを特徴とする請求項１２に記載の端子台を備えた電源供給装置。
【考案の詳細な説明】
【技術分野】
【０００１】
本考案は結線手段に関し、とりわけ端子台接地構造及び端子台を備えた電源供給装置に関する。
【背景技術】
【０００２】
従来における例えば電源供給装置等の電子製品において、往々にして結線する必要性から、例えば端子台等の結線盤を設けて、電子製品内部の回路板と接続線との電気的接続に供する必要がある。
【考案の概要】
【考案が解決しようとする課題】
【０００３】
ところで電源等の接続線による結線時には、接地への必要性を提供しなければならない。しかし従来の端子台では接地にて、通常、回路板上に大面積の銅箔回路を敷設しなければならず、とりわけ高電流を適用する場合にて、その占有面積も大きくなり、コストも相対的に上昇し、同時に占有面積が大きな回路板面積であることから、製品全体の外観サイズも縮小化しにくいため、その外観に影響を及ぼし携行しにくい等の問題も生じやすく、ひいては携帯型電子機器の給電アクセサリとして適用するのは難しい。
【０００４】
これに鑑み、本考案者は上記欠点を改善するとともに解決するために、さらに潜心的に研究するとともに学理的な運用を組み合わせて、ついに設計が合理的で且つ上記欠点を効果的に改善する本考案を提案した。
【０００５】
本考案の主な目的は、一つの端子を接地とするとともに、電源供給装置のハウジングに接続し、ひいては回路板の面積を占めることなく、コスト削減及び製品外観を縮小するという目的及び効果を同時に達成する、接地構造及び端子台を備えた電源供給装置を提供することができるところにある。
【課題を解決するための手段】
【０００６】
上記目的を達成するために、本考案では、絶縁台座と、複数の端子とを備えており、絶縁台座は、複数の端子溝を有することで、各端子が各端子溝内にそれぞれ設けられ、且つ各端子はいずれも延出するピンを有する、電源供給装置内に設けるための端子台接地構造を提供する。このうち、前記電源供給装置はハウジングと、ハウジング内に設けられる回路板とを備えており、且つこのうちの一つの端子のピンは前記電源供給装置のハウジングに接地接触し、そして残りの端子のピンは前記電源供給装置の回路板上に電気的に接続される。
【０００７】
上記目的を達成するために、本考案では、ハウジングと、ハウジング内に設けられる端子台とを備えており、ハウジング内には回路板を更に有しており、端子台は絶縁台座と、絶縁台座上に設けられる複数の端子とを有しており、且つ各々の該端子はいずれも延出するピンを有しており、このうちの一つの端子のピンはハウジングに接地接触し、そして残りの端子のピンは回路板上に電気的に接続される。
【図面の簡単な説明】
【０００８】
【図１】本考案の第１の実施例の立体分解概略図である。
【図２】本考案の第１の実施例の立体組合わせ概略図である。
【図３】本考案の第１の実施例の局部断面概略図である。
【図４】本考案の第２の実施例の立体分解概略図である。
【図５】本考案の第２の実施例の局部断面概略図である。
【考案を実施するための形態】
【０００９】
本考案の特徴及び技術内容をより詳細に開示するため、以下の本考案に関する詳細な説明及び図面を参照されたい。しかし図面は単に参考及び説明用であって、本考案を制限するのに用いられるものではない。
【００１０】
それぞれ本考案の第１の実施例の立体分解概略図及び立体組合わせ概略図である図１及び図２を参照されたい。本考案は端子台接地構造及び端子台を備えた電源供給装置を提供しており、前記電源供給装置１はハウジング１０と、ハウジング１０に設けられる回路板１１とを備えており、回路板１１はハウジング１０の壁面に対向して配置することができるとともに、ハウジング１０と回路板１１との間には、ハウジング１０内面に重ねられる絶縁層１００が設けられており、そして前記端子台２はつまり電源供給装置１のハウジング１０内に設けられるとともに、その回路板１１とで電気的に接続して回路板１１上に固設される。前記端子台２は絶縁台座２０と、絶縁台座２０上に設けられる複数の端子２１とを備える。
【００１１】
そしてこのうち、絶縁台座２０は絶縁材料から構成されるとともに、上記各端子２１を設置させて端子２１間同士の電気的な導通を回避することができる。絶縁台座２０は主に、各端子２１を設けるための複数の端子溝２００を有しており、端子溝２００は異なる形式で絶縁台座２０上に配置することができる。本考案で掲げる実施例を例とすると、仕切板を間隔を置いて設けることで前記端子溝２００を形成して、横向きで配列して端子２１をそれぞれ配置させている。更には、各端子２１上は螺設素子２２がそれぞれ対応することができ、前記螺設素子２２は、端子２１を貫通するとともに絶縁台座２０上に螺着することで、外付けの接続線（図示せず）と端子２１とを電気的に接続して固定するネジとすることができる。
【００１２】
各端子２１は上記絶縁台座２０の端子溝２００内に設けられた後、更にそれぞれピン２１０が延出する。併せて図３を参照されたい。上記電源供給装置１の回路板１１上は銅箔回路で複数の導電接続層１１０が敷設することができ、前記導電接続層１１０は各端子２１のピン２１０にそれぞれ対応することで、各ピン２１０とその対応する導電接続層１１０とを電気的に接触させるとともに回路板１１上にはんだ付けしている。ただし、本考案は主に、各端子２１にて端子２１’を有するピン２１０’は接地とされ、且つ前記端子２１’のピン２１０’は幅上にてその他ピン２１０よりも広くすることができ、しかも絶縁台座２０の側に向けて折れ曲がり、且つ接地端子２１’のピン２１０’の延在方向は残りの端子２１のピン２１０の延在方向と交互となる。より具体的には、接地端子２１’のピン２１０’の延在方向は残りの端子２１のピン２１０が絶縁台座２０下方に延在する方向と垂直又は９０度をなす。本考案で掲げられる実施例において、絶縁台座２０は第１側２０ａと、第１側２０ａと反対向きとなる第２側２０ｂとを有しており、このうち第１側２０ａは各端子溝２００に対応して開口状をなすことで、外付けの接続線（図示せず）がここから端子溝２００に伸入して各端子２０と電気的に接続されており、そして前記接地とされる端子２１’のピン２１０’は第２側２０ｂに向けて折れ曲がる、つまり端子溝２００の開口方向とは反対向きに折れ曲がることで、前記ピン２１０’上に固定穴２１１’が設けられており、更に導電接続手段を通じて固定されるとともにハウジング１０上に導電的に接続されて接地する。前記導電接続手段は固定穴２１１’を貫通する螺着素子２１２’と、ハウジング１０に固設されるとともに螺着素子２１２’を螺入させる螺着台座２１３’とを備えることができ、且つハウジング１０が絶縁層１００を備える場合、絶縁層１００上には螺着台座２１３’を通過させる穴１００ａが設けられおり、そして螺着素子２１２’はネジとすることができ、固定穴２１１’を貫通して更に回路板１１を通過して螺着台座２１３’上に螺着することができるものであって、これによりピン２１０’に接触した後にハウジング１０に間接的に接触して接地の効果を達成する。
【００１３】
そして本考案で掲げる第１の実施例において、前記ピン２１０’は回路板１１上に位置しており、更に導電接続手段を介して固定穴２１１’に貫入されるとともに、回路板１１上の貫通穴１１１を通過してその接触状態を維持した固定素子に接触する。
【００１４】
更に、図４及び図５に示すように、本考案で掲げる第２の実施例において、上記接地とされる端子２１’及びそのピン２１０’はまず回路板１１を通過して回路板１１とハウジング１０との間に位置した後、そのピン２１０’をハウジング１０に接触させて更に導電接続手段で固定するので、回路板１１上にて端子２１’又はそのピン２１０’を通過させる通し穴１１２が更に設けられることで、同様に上記実施例と同じ目的及び効果を達成することができる。
【００１５】
したがって、上記した構造組成により、本考案の端子台接地構造及び端子台を備えた電源供給装置を得ることができる。
【００１６】
よって、本考案の端子台接地構造及び端子台を備えた電源供給装置は、一つの端子を接地とするとともに、電源供給装置のハウジングに接続するのみで、回路板の面積を占めることなく、コスト削減及び製品外観を縮小するという目的及び効果を同時に兼備することができる。
【００１７】
上記をまとめるに、本考案は希少な考案製品であるのは間違いなく、確実に予期する使用目的を達成し、従来の不具合を解決し、また新規性及び進歩性を備えて、実用新案の出願要件に完全に符合することから、ここに実用新案法に基づいて出願するため、詳細に審査されるとともに本願に実用新案を付与して、考案者の権利を保障されるよう切望する。
【００１８】
ただし上記は単に本考案の好ましい可能な実施例に過ぎず、これによって本考案の保護範囲を限定するものではないから、本考案の明細書および図面の内容を運用して行う等価構造の変化は、いずれも同様の理論で本考案の保護範囲内に含まれるということを予め言明しておく。
【符号の説明】
【００１９】
１            電源供給装置
１０            ハウジング
１００            絶縁層  
１１            回路板    
１１０            導電接続層
１１１            貫通穴
１１２            通し穴  
２            端子台
２０            絶縁台座
２００            端子溝  
２１            端子
２１０            ピン
２１’            端子
２１０’          ピン
２１１’          固定穴
２１２’          螺着素子
２１３’          螺着台座
２２            螺設素子
【図１】
0003219843.tif 000003
【図２】
0003219843.tif 000004
【図３】
0003219843.tif 000005
【図４】
0003219843.tif 000006
【図５】
0003219843.tif 000007
【手続補正書】
【提出日】平成30年11月28日(2018.11.28)
【手続補正１】
【補正対象書類名】実用新案登録請求の範囲
【補正対象項目名】請求項５
【補正方法】変更
【補正の内容】
【請求項５】
前記接地とされるピン（２１０’）の延在方向は残りの前記端子（２１）のピン（２１０）が延在する方向と垂直又は９０度となる、ことを特徴とする請求項２に記載の端子台接地構造。